(57)【特許請求の範囲】
【請求項１】
エレベータの運行制御を行う制御盤と、
通信許可フラグの設定に基づいて伝送インターフェース機能を有効にするための専用の伝送装置と、
前記専用の伝送装置とは異なるコードを有する他の伝送装置と、
前記制御盤に記録された各種メンテナンス情報を、前記専用の伝送装置を介して読み出すメンテナンス装置と
を備え、
前記制御盤は、接続される伝送装置のコード情報に基づいて前記専用の伝送装置と前記他の伝送装置とを識別し、前記他の伝送装置が接続されたときに前記専用の伝送装置との通信を許可する通信許可フラグを設定し、通信許可フラグが設定されたことを条件に前記専用の伝送装置にエレベータ固有情報を記録させ、
前記専用の伝送装置は、前記制御盤からのエレベータ固有情報を内蔵する不揮発性メモリに書き込み、前記制御盤から入力されるエレベータ固有情報と前記不揮発性メモリに書き込まれたエレベータ固有情報との照合に基づいて当該専用の伝送装置を介したメンテナンス装置による前記制御盤からの各種メンテナンス情報の読み出しを行わせる
ことを特徴とするエレベータのメンテナンスシステム。
【発明の詳細な説明】
【０００１】
【発明の属する技術分野】
この発明は、エレベータの点検および保守を行うためのエレベータのメンテナンスシステムに関するものである。
【０００２】
【従来の技術】
エレベータの制御盤内には、エレベータを安全かつ快適に運行する為の運行制御プログラムとは別に、保守会社が保守作業の合理化を目的として独自に開発した保守プログラムを搭載されている。
保守プログラムは、エレベータの運行に併せ、保守作業の計画や故障修理に使用する各種メンテナンス情報の記録や、メンテナンス装置からの点検指令に基づきエレベータを点検運転する機能を持つ。
【０００３】
メンテナンス情報は、保守会社のノウハウそのものである為、エレベータ制御盤とメンテナンス装置の間には、エレベータに記録される各種メンテナンス情報が第三者に漏洩することを防止する手段として、エレベータとメンテナンス装置間に専用の伝送装置を設け、保守員がメンテナンスで訪問する都度、エレベータの制御盤へ伝送装置を介してメンテナンス装置を接続する構成を採用している。
【０００４】
図５は、従来のエレベータのメンテナンスシステムの構成を示すブロック図である。
図５において、１はエレベータの運行制御を行う制御盤、２は制御盤１とメンテナンス装置４間で通信を行う為の伝送装置、３は伝送装置２とメンテナンス装置４をフレキシブルに接続する為の伝送ケーブル、１ａは制御盤１に設置された伝送装置２用のインターフェース（以下、Ｉ／Ｆと称す）である。
【０００５】
上述した構成を備えるエレベータのメンテナンスシステムにおいて、伝送装置２、伝送ケーブル３およびメンテナンス装置４は、保守員がエレベータの点検時に携行するものであり、エレベータの制御盤１内に記録された各種メンテナンス情報を参照する際に使用する。
【０００６】
伝送装置２は、エレベータ専用の伝送Ｉ／Ｆであり、メンテナンス装置４からの各種要求を制御盤１に伝送して、制御盤１内に記録された各種メンテナンス情報を読み出し、メンテナンス装置４に伝送する機能を持つ。
上記のメンテナンス情報の読み出しは一機能であり、メンテナンス装置４にはその他に、書き込み機能、呼び登録機能、点検運転指令機能など多数の機能がある。
【０００７】
これらの機能は、保守員が伝送装置２を経由してメンテナンス装置４を制御盤１に接続することで実現できる構成である為、第三者が制御盤１からメンテナンス情報を容易に取得することができない。
【０００８】
【発明が解決するための手段】
ところで、上述した従来のエレベータのメンテナンスシステムにおいて、制御盤１は通常機械室に設けられており、エレベータが運行している状態でも、伝送装置２を制御盤１の伝送装置用Ｉ／Ｆ１ａへ接続することで、制御盤１内に記録された各種メンテナンス情報を活線状態で読み出し、メンテナンス装置４に伝送することができるものであった。
【０００９】
また、機械室レスエレベータの場合は、制御盤１が昇降路内に設置される為、エレベータが運行している状態で、制御盤１へ安全かつ容易にメンテナンス装置４を接続することが難しいが、その対応として、制御盤１へ伝送装置２を予め設置して、保守作業時にメンテナンス装置４のみを接続して制御盤１内に記録された各種メンテナンス情報を活線状態で読み出し、メンテナンス装置４に伝送することが考えられる。
【００１０】
しかしながら、メンテナンス装置４自体は汎用のパーソナルコンピュータを使用する為、メンテナンスプログラムの不正コピーは比較的容易に第三者に実施される可能性があり、制御盤１に記録された各種メンテナンス情報が第三者に漏洩しやすかった。
【００１１】
この発明は上述した点に鑑みてなされたもので、制御盤に記録された各種メンテナンス情報の漏洩を防止することができるエレベータのメンテナンスシステムを得ることを目的とする。
【００１２】
【課題を解決するための手段】
この発明に係るエレベータのメンテナンスシステムは、エレベータの運行制御を行う制御盤と、通信許可フラグの設定に基づいて伝送インターフェース機能を有効にするための専用の伝送装置と、前記専用の伝送装置とは異なるコードを有する他の伝送装置と、前記制御盤に記録された各種メンテナンス情報を、前記専用の伝送装置を介して読み出すメンテナンス装置とを備え、前記制御盤は、接続される伝送装置のコード情報に基づいて前記専用の伝送装置と前記他の伝送装置とを識別し、前記他の伝送装置が接続されたときに前記専用の伝送装置との通信を許可する通信許可フラグを設定し、通信許可フラグが設定されたことを条件に前記専用の伝送装置にエレベータ固有情報を記録させ、前記専用の伝送装置は、前記制御盤からのエレベータ固有情報を内蔵する不揮発性メモリに書き込み、前記制御盤から入力されるエレベータ固有情報と前記不揮発性メモリに書き込まれたエレベータ固有情報との照合に基づいて当該専用の伝送装置を介したメンテナンス装置による前記制御盤からの各種メンテナンス情報の読み出しを行わせることを特徴とするものである。
【００１４】
【発明の実施の形態】
図１は、この発明の実施の形態に係るエレベータのメンテナンスシステムの構成を示すブロック図である。
図１において、１はエレベータの運行制御を行う制御盤であり、昇降路内に設置される。４はメンテナンス装置、５は制御盤１とメンテナンス装置４間で通信を行う為の伝送インタフェースを機能を有する本実施の形態に係る専用の伝送装置であり、制御盤１と同様に昇降路内に設置される。６は専用の伝送装置５の携帯端末用Ｉ／Ｆを乗場まで延長する為の昇降路設置ケーブル、７は昇降路設置ケーブルと伝送ケーブルを接続する為の乗場コネクタである。
【００１５】
ここで、専用の伝送装置５は、昇降路内に設置された制御盤１に設置後は常時接続する伝送装置であり、エレベータの運行制御とは独立したものである。その為、保守会社とエレベータ所有者間で保守契約が成立した場合に、点検作業の省力化と安全性を確保する目的で保守会社が接続する。この専用の伝送装置５の伝送インターフェース機能を有効にするには、後述する図３および図４に示す手順に従って運用する。
【００１６】
また、上述した図１に示す構成において、制御盤１と専用の伝送装置５の内部構成としては図２に示す構成を有する。
すなわち、図２に示すように、制御盤１は、伝送装置と通信を行うためのインターフェース１ａと、ＣＰＵ１ｂ、エレベータ固有情報等を記憶してなるＲＯＭ１ｃ、ＲＡＭ１ｄを有する。一方、伝送装置５は、制御盤１と通信を行うためのインターフェース５ａと、ＣＰＵ５ｂと、ＲＯＭ５ｃと、不揮発性メモリ５ｄと、ＲＡＭ５ｅと、メンテナンス装置４としての携帯端末との通信を行うための携帯端末用インターフェース５ｆとを有する。
【００１７】
次に、上記構成を備えるエレベータのメンテナンスシステムにおいて、伝送装置５の伝送インターフェース機能を有効にして専用の伝送装置５を介したメンテナンス装置４による制御盤１からの各種メンテナンス情報の読み出しを可能にする動作について図３および図４に示すフローチャートを参照して説明する。
【００１８】
図３は、制御盤１のＲＯＭ１ｃに格納されてＣＰＵ１ｂの制御により実行される処理プログラムであり、専用の伝送装置５の伝送インターフェース機能を有効にするものである。
ここでは、本実施の形態に係る専用の伝送装置５を制御盤１に接続する前に、保守員が携行する従来と同様な伝送装置２が制御盤１に接続されていないと、専用の伝送装置５を介した制御盤１とメンテナンス装置５との通信を許可しないようにする。これは、専用の伝送装置５が紛失したとしても紛失した伝送装置５をそのまま使用できないようにするためである。
【００１９】
まず、接続された伝送装置が伝送装置２か否かを判定する（ステップＳ１）。この場合、専用の伝送装置５は伝送装置２とは異なるコードを有しており、制御盤１のＣＰＵ１ｂは、コードの識別によって伝送装置２か否かを識別する。その結果、接続された伝送装置が伝送装置２であれば、ＲＡＭ１ｄに次に接続される専用の伝送装置５を介した通信を許可する通信許可フラグを設定する（ステップＳ２）。
【００２０】
その後、伝送装置２を切り離し、専用の伝送装置５を制御盤１に接続した状態で、接続された伝送装置が専用の伝送装置５であると判定された場合（ステップＳ３）は、ＲＡＭ１ｄに通信許可フラグが設定されていることを条件に、専用の伝送装置５のＩ／Ｆ５ａにエレベータ固有情報を記録する（ステップＳ４、ステップＳ５）。このようにして、専用の伝送装置５のＩ／Ｆ５ａに接続される制御盤１と同一内容のエレベータ固有情報が記録されて、専用の伝送装置５の伝送インターフェース機能が有効になる。
【００２１】
図４は、専用の伝送装置５のＲＯＭ５ｃに格納されてＣＰＵ５ｂの制御により実行される処理プログラムであり、エレベータ固有情報の照合に基づいて専用の伝送装置５を介した制御盤１とメンテナンス装置４との通信許可を与えるものである。
まず、Ｉ／Ｆ５ａより制御盤１からエレベータ固有情報を入力し（ステップＳ１１）、その段階で、Ｉ／Ｆ５ａに内蔵された図示しないＲＡＭ内に記憶されている固有情報が「００Ｈ」か「ＦＦＨ」かを判定する（ステップＳ１１）。その際、内蔵ＲＡＭは、過去に制御盤１と接続された経歴がなければ、初期状態であり、記憶内容は「００Ｈ」であり、この専用の伝送装置５を介した制御盤１とメンテナンス装置４との通信許可しない（ステップＳ１３）。
【００２２】
他方、内蔵ＲＡＭ内に記憶されている固有情報が「ＦＦＨ」であり、過去に制御盤１と接続された経歴があれば、次に、不揮発性メモリ５ｄにエレベータ固有情報が記録されている否かを判定する（ステップＳ１４）。エレベータ固有情報が記録されていなければ、不揮発性メモリ５ｄにＩ／Ｆ５ａから読み込んだエレベータ固有情報を書き込む（ステップＳ１５）。
【００２３】
また、上記ステップＳ１４において、不揮発性メモリ５ｄにエレベータ固有情報が書き込まれ記録されていると判定されれば、ステップＳ１６に移行し、入力されたエレベータ固有情報が不揮発性メモリ５ｄに書き込まれ記録されているエレベータ固有情報と一致するか照合され、一致していれば、ＲＡＭ１ｄに通信許可が設定され、この専用の伝送装置５を介した制御盤１とメンテナンス装置４との通信が許可され（ステップＳ１７）、一致してなければ許可されない（ステップＳ１３）。このようにして、ＲＡＭ１ｄに通信許可が設定されている場合に限り、メンテナンス装置４との通信を許可する。
【００２４】
従って、上記実施の形態によれば、一度、現場へ取り付けられた伝送装置５は、盗難等により紛失し、その後、他のエレベータの制御盤ヘ接続されても使用できないセキュリティ機能を実現する。
【００２５】
【発明の効果】
以上のように、この発明によれば、制御盤により、通信許可フラグが設定されたことを条件に専用の伝送装置にエレベータ固有情報を記録させ、前記専用の伝送装置は、前記制御盤からのエレベータ固有情報を内蔵する不揮発性メモリに書き込み、前記制御盤から入力されるエレベータ固有情報と前記不揮発性メモリに書き込まれたエレベータ固有情報との照合に基づいて当該専用の伝送装置を介したメンテナンス装置による前記制御盤からの各種メンテナンス情報の読み出しを行わせるようにしたので、一度取り付けられた専用の伝送装置を他のエレベータの制御盤ヘ接続しても、制御盤に記録された各種メンテナンス情報を得ることができなく、制御盤に記録された各種メンテナンス情報の漏洩を防止することができ、セキュリティ性を高めることができる。
【図面の簡単な説明】
【図１】  この発明の実施の形態に係るエレベータのメンテンナンスシステムの構成を示すブロック図である。
【図２】  図１に示す制御盤１と専用の伝送装置５の内部構成を詳細に示す図である。
【図３】  図１および図２に示す制御盤１のＲＯＭ１ｃに格納されてＣＰＵ１ｂの制御により実行される処理プログラムのフローチャートである。
【図４】  図１および図２に示す専用の伝送装置５のＲＯＭ５ｃに格納されてＣＰＵ５ｂの制御により実行される処理プログラムのフローチャートである。
【図５】  従来のエレベータのメンテナンスシステムの構成を示すブロック図である。
【符号の説明】
１  制御盤、１ａ  伝送装置用Ｉ／Ｆ、１ｂ  ＣＰＵ、１ｃ  ＲＯＭ、１ｄ  ＲＡＭ、２  伝送装置、４  メンテナンス装置、５  専用の伝送装置、５ａ  Ｉ／Ｆ、５ｂ  ＣＰＵ、５ｃ  ＲＯＭ、５ｄ  不揮発性メモリ、５ｅ  ＲＡＭ。
【図１】
0004066123.tif 000002
【図２】
0004066123.tif 000003
【図３】
0004066123.tif 000004
【図４】
0004066123.tif 000005
【図５】
0004066123.tif 000006